(57)【特許請求の範囲】
【請求項１】
被介護者が搭乗する車椅子が搭載可能な搭載面を備え、前記被介護者が手動により操作する運転装置により運転制御され、モーターを駆動力として移動する電動台車と、
前記電動台車の後部に上下に揺動可能に設けられるフラップと、
前記フラップに接続され、前記被介護者の手動により前記フラップと共に揺動され、端部が前記搭載面に留められ、あるいは、離脱可能に設けられるレバーと、から成り、
前記車椅子が地面あるいは床から前記搭載面に搭載されるときは、前記被介護者の手動により前記レバーの端部が前記搭載面から離脱され、前記フラップが下方向に揺動されて前記地面あるいは床に接触する状態となり、
前記車椅子が前記搭載面に搭載されているときは、前記被介護者の手動により前記レバーの端部が前記搭載面に留められ、前記フラップが前記地面あるいは床から離脱される状態となることを特徴とする車椅子の搬送装置。
【請求項２】
前記搭載面に設けられる第１の係止部と、
前記レバーの端部に設けられ、前記第１の係止部に留められ、あるいは、前記第１の係止部から離脱される第２の係止部と、を備えることにより、
前記レバーの端部が前記搭載面に留められ、あるいは、離脱可能に設けられる請求項１記載の車椅子の搬送装置。
【請求項３】
前記運転装置は、前記電動台車の前輪に連動するハンドルと、前記前輪および／または後輪を減速機を介して駆動する前記モーターの駆動を制御する第１の電気スイッチと、
ライトと、
前記ライトを制御する第２の電気スイッチと、から成る請求項１または２記載の車椅子の搬送装置。
【発明の詳細な説明】
【０００１】
【発明の属する技術分野】
本発明は、被介護者を車椅子に搭乗させたまま搭載可能で、近距離の外出、散策、ショッピング等のために車椅子を搬送できる車椅子の搬送装置に関する。
【０００２】
【従来の技術】
従来、例えば、特開平１０−２３６３７３号公報「車椅子搬送機能をもつ補助動力付自転車」で、被介護者を車椅子に搭乗させたまま搭載可能で、近距離の外出、散策、ショッピング等のために車椅子を搬送できる補助動力付自転車が提案されている。
【０００３】
【発明が解決しようとする課題】
しかし、上述の従来例では、介護者による介護無しに、被介護者自身で被介護者が車椅子に搭乗したまま車椅子が電動台車に搭載され、近距離の外出、散策、ショッピング等のために車椅子を搬送できるものではなく、必ず、介護者の介護を必要とするという問題点があった。
そこで、本発明は、介護者による介護無しに、被介護者自身で被介護者が車椅子に搭乗したまま車椅子が電動台車に搭載され、近距離の外出、散策、ショッピング等のために車椅子を搬送できる車椅子の搬送装置を提供することを目的とする。
【０００４】
【課題を解決するための手段】
請求項１の本発明は、被介護者が搭乗する車椅子が搭載可能な搭載面を備え、前記被介護者が手動により操作する運転装置により運転制御され、モーターを駆動力として移動する電動台車と、
前記電動台車の後部に上下に揺動可能に設けられるフラップと、
前記フラップに接続され、前記被介護者の手動により前記フラップと共に揺動され、端部が前記搭載面に留められ、あるいは、離脱可能に設けられるレバーと、から成り、
前記車椅子が地面あるいは床から前記搭載面に搭載されるときは、前記被介護者の手動により前記レバーの端部が前記搭載面から離脱され、前記フラップが下方向に揺動されて前記地面あるいは床に接触する状態となり、
前記車椅子が前記搭載面に搭載されているときは、前記被介護者の手動により前記レバーの端部が前記搭載面に留められ、前記フラップが前記地面あるいは床から離脱される状態となることを特徴とする車椅子の搬送装置である。
【０００５】
請求項２の本発明は、前記搭載面に設けられる第１の係止部と、
前記レバーの端部に設けられ、前記第１の係止部に留められ、あるいは、前記第１の係止部から離脱される第２の係止部と、を備えることにより、
前記レバーの端部が前記搭載面に留められ、あるいは、離脱可能に設けられる請求項１記載の車椅子の搬送装置である。
【０００６】
請求項３の本発明は、前記運転装置は、前記電動台車の前輪に連動するハンドルと、前記前輪および／または後輪を減速機を介して駆動する前記モーターの駆動を制御する第１の電気スイッチと、
ライトと、
前記ライトを制御する第２の電気スイッチと、から成る請求項１または２記載の車椅子の搬送装置である。
【０００７】
請求項１の本発明によれば、図６、図７に示されるように、被介護者１が搭乗する車椅子２が地面３あるいは床から搭載面４に搭載されるときは、被介護者１の手動によりレバー５の端部６が搭載面４から離脱され、フラップ７が下方向に揺動されて地面３あるいは床に接触する状態となる。
次に、車椅子２が搭載面４に搭載されているときは、図1から図5に示されるように、被介護者１の手動によりレバー５の端部６が搭載面４に留められ、フラップ７が地面３あるいは床から離脱される状態となる。
このため、介護者による介護無しに、被介護者１自身で被介護者１が車椅子２に搭乗したまま車椅子２が電動台車８に搭載され、近距離の外出、散策、ショッピング等のために車椅子２を搬送できる。
【０００８】
請求項２の本発明によれば、図8、図9、図１０に示されるように、搭載面４に設けられる第１の係止部９と、レバー５の端部６に設けられ、第１の係止部９に留められ、あるいは、第１の係止部９から離脱される第２の係止部１０と、を備える。
このため、レバー５の端部６が搭載面４に留められ、あるいは、離脱可能に設けられる。
【０００９】
請求項３の本発明によれば、図1から図７に示されるように、運転装置１１は、電動台車８の前輪１２に連動するハンドル１３と、前輪１２および／または後輪１４を図示されない減速機を介して駆動する図示されないモーターの駆動を制御する図示されない第１の電気スイッチと、ライト１５と、ライト１５を制御する図示されない第２の電気スイッチと、から成る。
このため、被介護者１が車椅子２に搭乗したまま電動台車８を運転制御でき、近距離の外出、散策、ショッピング等のために車椅子２を搬送できる。
【００１０】
【発明の実施の形態】
以下、本発明を、図面を参照して、その実施の形態に基づいて説明する。
図１、図２、図３に示されるように、電動台車８は、被介護者１が搭乗する車椅子２が搭載可能な搭載面４を備え、被介護者１が手動により操作する運転装置１１により運転制御され、図示されないモーターを駆動力として移動する装置である。
フラップ７は、電動台車８の後部に上下に揺動可能に設けられる装置である。
レバー５は、フラップ７に接続され、被介護者１の手動によりフラップ７と共に揺動され、端部６が搭載面４に留められ、あるいは、離脱可能に設けられるものである。
ここで、図８、図９（ａ）（ｂ）（ｃ）、図１０（ａ）（ｂ）に示されるように、フック部９ａおよび底部９ｂから成る第１の係止部９は、搭載面４に設けられる。  第２の係止部１０は、レバー５の端部６に設けられ、第１の係止部９に留められ、あるいは、第１の係止部９から離脱されるため、レバー５の端部６が搭載面４に留められ、あるいは、離脱可能に設けられる。  第２の係止部１０のレバー部１０ａが、レバー５の端部６に接続され、被介護者１の手動により上下動され、第１の係止部９に留められ、あるいは、第１の係止部９から離脱される。
【００１１】
次に、図６、図７に示されるように、被介護者１が搭乗する車椅子２が地面３あるいは床から搭載面４に搭載されるときは、被介護者１の手動によりレバー５の端部６が搭載面４から離脱され、フラップ７が下方向に揺動されて地面３あるいは床に接触する状態となる。
次に、車椅子２が搭載面４に搭載されているときは、図1から図5に示されるように、被介護者１の手動によりレバー５の端部６が搭載面４に留められ、フラップ７が地面３あるいは床から離脱される状態となる。
このため、介護者による介護無しに、被介護者１自身で被介護者１が車椅子２に搭乗したまま車椅子２が電動台車８に搭載され、近距離の外出、散策、ショッピング等のために車椅子２を搬送できる。
【００１２】
次に、運転装置１１は、図1から図７に示されるように、電動台車８の前輪１２に連動するハンドル１３と、前輪１２および／または後輪１４を図示されない減速機を介して駆動する図示されないモーターの駆動を制御する図示されない第１の電気スイッチと、ライト１５と、ライト１５を制御する図示されない第２の電気スイッチと、から成る。
【００１３】
【発明の効果】
本発明は、以上説明したように、介護者による介護無しに、被介護者自身で被介護者が車椅子に搭乗したまま車椅子が電動台車に搭載され、近距離の外出、散策、ショッピング等のために車椅子を搬送できるという効果を奏する。
【図面の簡単な説明】
【図１】車椅子が搭載面に搭載されているときの本発明の一実施の形態の構成図である。
【図２】車椅子が搭載面に搭載されているときの本発明の一実施の形態の構成図である。
【図３】車椅子が搭載面に搭載されているときの本発明の一実施の形態の構成図である。
【図４】車椅子が搭載面に搭載されているときの本発明の一実施の形態の構成図である。
【図５】車椅子が地面あるいは床から搭載面に搭載されるときの本発明の一実施の形態の構成図である。
【図６】車椅子が地面あるいは床から搭載面に搭載されるときの本発明の一実施の形態の構成図である。
【図７】車椅子が地面あるいは床から搭載面に搭載されるときの本発明の一実施の形態の構成図である。
【図８】本発明の一実施の形態を構成する第１および第２の係止部の構成図である。
【図９】本発明の一実施の形態を構成する第１の係止部の構成図である。
【図１０】本発明の一実施の形態を構成する第２の係止部の構成図である。
【符号の説明】
１  被介護者 ２  車椅子   ３  地面  ４  搭載面    ５  レバー
６  端部  ７  フラップ  ８  電動台車  ９  第１の係止部
１０  第２の係止部  １１  運転装置  １２  前輪
１３  ハンドル  １４  後輪  １５  ライト
【図１】
0004747384.tif 000002
【図２】
0004747384.tif 000003
【図３】
0004747384.tif 000004
【図４】
0004747384.tif 000005
【図５】
0004747384.tif 000006
【図６】
0004747384.tif 000007
【図７】
0004747384.tif 000008
【図８】
0004747384.tif 000009
【図９】
0004747384.tif 000010
【図１０】
0004747384.tif 000011